(57)【要約】【課題】本発明は燃焼運転および冷却運転停止後の温風暖房機の表面温度が熱交換機の余熱により上昇し、特に温度の高い天面のパネルに有する取っ手を持った時に熱く感じる。また異常停止時には高温化する恐れがある。【解決手段】パネルに有する取っ手を熱交換機上部を避けて両端２箇所に設けて、直接余熱がこない位置にする。また、パネルの熱交換機上部に位置する部分に温度センサーを設けて温度検知し、燃焼運転および冷却運転停止後の異常温度上昇に対して、ある所定の温度に到達した場合は再度冷却運転を行う。【選択図】  図１
2004198042.tif 000002
【特許請求の範囲】
【請求項１】
温風暖房機の外装の天面部を構成するパネルの背面に設けた左右端部２個所の水平方向への取っ手用掘り込み部の位置が、燃料と外部からの空気とを混合して燃焼する燃焼室と、その燃焼室で暖められた空気を外部へ送出す送風ファンと、駆動モーターとを有する箱型の熱交換機の上方に無いことを特徴とする温風暖房機。
【請求項２】
前記取っ手用掘り込み部をパネルの側面かつ左右２個所に設けたことを特徴とする請求項１記載の温風暖房機。
【請求項３】
前記取っ手用掘り込み部の内側かつ天面に半楕円形状した凸部を下方向に突出させたことを特徴とする請求項１記載の温風暖房機。
【請求項４】
前記取っ手用掘り込み部の側面および底面を波線状の壁にすることを特徴とする請求項１記載の温風暖房機。
【請求項５】
前記取っ手用掘り込み部が背面から前方まで貫通してトンネル形状であることを特徴とする請求項１記載の温風暖房機。
【請求項６】
前記取っ手用掘り込み部が背面から前方まで貫通してトンネル形状、かつパネル天面よりも突出していることを特徴とする請求項１記載の温風暖房機。
【請求項７】
前記パネルの天面内側、かつ前記熱交換機の上方部に温度センサーを設け、燃焼運転停止後の送風ファンのみの運転による器具冷却運転停止後に、前記温度センサーの検出温度がある所定の温度に到達すると送風運転制御装置により再度器具冷却運転を行うことを特徴とする請求項１記載の温風暖房機。
【請求項８】
前記パネルの天面内側、かつ前記熱交換機の上方部に温度センサーを設け、燃焼運転停止後の送風ファンのみの運転による器具冷却運転停止後に、前記温度センサーの検出温度がある所定の温度に到達すると送風運転制御装置により再度器具冷却運転を行い、かつ次回器具冷却運転時の送風ファンの送風量およびタイマー時間を増加することを特徴とする請求項１記載の温風暖房機。
【請求項９】
前記パネルの天面内側、かつ前記熱交換機の上方部に温度センサーを設け、燃焼運転停止後の送風ファンのみの運転による器具冷却運転停止後に、前記温度センサーの検出温度がある所定の温度に到達すると、器具冷却不足ランプが点灯して報知することを特徴とする請求項１記載の温風暖房機。
【発明の詳細な説明】
【０００１】
【発明の属する技術分野】
本発明は温風暖房機の取っ手の温度的安全性に関するものである。
【０００２】
【従来の技術】
従来の温風暖房機の主な構成は図  に示すように、外装を構成する天面部のパネル１と、背面部と側面の一部のウライタ２と、前面と側面の一部のマエイタ３と、底面のベース４と、前面下部の温風を吹き出す吹出口５と、それら外装構成部品に囲まれるように、バーナー６に供給された燃料と外部から取入れた空気とを混合して燃焼する燃焼室７と、その燃焼室７で暖められた空気を外部へ送出す送風ファン８と、駆動モーター９とを有する箱型の熱交換機１０と、制御装置１１とで構成されるものであり、前記パネル１の背面中央に設けられた取っ手用掘り込み部１ａは前記熱交換機１０の上方に位置するものであった。
【０００３】
また取っ手用掘り込み部１２であるパネル１の中央断面図  に示すように、前記パネル１背面の取っ手用掘り込み部１２は水平方向へ凹形状かつ袋状であった。
【０００４】
次にシーケンスにおいて、燃焼運転停止後の送風ファン８のみの運転による器具冷却運転は、送風量と運転時間はあらかじめ設定された一定量であった。
【０００５】
この送風量と運転時間の量は、熱交換機の冷却と送風による冷風感との相反する結果を得るため、あらかじめ多くの温度実験などにより決定した一定量であり、使用条件や熱交換機温度などによる変位条件を持たないものであった。
【０００６】
【発明が解決しようとする課題】
しかしながら前記従来の構成では、燃焼運転停止後の器具冷却運転停止後、熱交換機に残された余熱が上方に滞留し、温風暖房機のパネル、特に熱交換機の上方部である背面中央の取っ手用掘り込み部が熱くなっていた。
【０００７】
また使用状態によっては多くのほこりなどの不要物が送風ファンやウライタ吸気口部に蓄積し、所定の送風量を出さなくなることにより、あらかじめ実験などにより設定していた送風量と送風時間では冷却不足となることや、器具冷却運転中や燃焼運転中での電源コンセント引き抜きによる強制停止によっても、取っ手用掘り込み部が熱くなっていた。
【０００８】
このように取っ手用掘り込み部が熱くなっていると、移動などで無意識に触れた場合に熱くて驚くことがある。
【０００９】
【課題を解決するための手段】
上記課題を解決するために本発明の温風暖房機は、パネルの取っ手用掘り込み部を熱交換機の上方から避けて、左右に２個所設けるようにする。
【００１０】
これによって燃焼運転停止後の余熱などによる熱交換機からの熱気で取っ手用掘り込み部が熱くなることが少なくなる。
【００１１】
【発明の実施の形態】
請求項１に記載の発明は、温風暖房機の外装の天面部を構成するパネルの背面に設けた左右端部２個所の水平方向への取っ手用掘り込み部の位置が、燃料と外部からの空気とを混合して燃焼する燃焼室と、その燃焼室で暖められた空気を外部へ送出す送風ファンと、駆動モーターとを有する箱型の熱交換機の上方に無いことにより、燃焼運転停止後の熱交換機からの余熱による前記取っ手用掘り込み部が熱くなるのを避け、安全性を向上させることができる。
【００１２】
請求項２に記載の発明は、請求項１記載の温風暖房機の取っ手用掘り込み部をパネルの側面かつ左右２個所に設けたことにより、燃焼運転停止後の熱交換機からの余熱による前記取っ手用掘り込み部が熱くなるのを避け、安全性を向上させることができる。
【００１３】
請求項３に記載の発明は、請求項１記載の温風暖房機の取っ手用掘り込み部の内側かつ天面に半楕円形状した凸部を下方向に突出させたことにより、材料容積を大きくなり、燃焼運転停止後の熱交換機からの余熱による熱伝導の熱分散を行うことができ、熱くなるのを避けることができる。
【００１４】
また、凸部を手で握るように持つことができるため安定感があり、かつ指先が引っかかっているためにすべり止めの効果も得ることができ、安全性を向上させることができる。
【００１５】
請求項４に記載の発明は、請求項１記載の温風暖房機の取っ手用掘り込み部の側面および底面を波線状の壁にすることにより、材料容積が大きくなり、かつ機内温度より低い外気に触れる面積を増加することができ、燃焼運転停止後の熱交換機からの余熱による熱伝導の熱分散を行うことができ、熱くなるのを避けることができ、安全性を向上させることができる。
【００１６】
請求項５に記載の発明は、請求項１記載の温風暖房機の取っ手用掘り込み部が背面から前方まで貫通してトンネル形状であることにより、袋状で容積に制約された取っ手用掘り込み部での指先持ちを避け、指の根元で持ったり、大きな手でも持ちやすくなり、安全性を向上させることができる。
【００１７】
請求項６に記載の発明は、請求項１記載の温風暖房機の取っ手用掘り込み部が背面から前方まで貫通してトンネル形状、かつパネル天面よりも突出していることにより、袋状で制約された取っ手用掘り込み部での指先持ちを避け、指の根元で持ったり、大きな手でも持ちやすくなり、安全性を向上させることができる。
【００１８】
請求項７に記載の発明は、請求項１記載の温風暖房機のパネルの天面内側、かつ前記熱交換機の上方部に温度センサーを設け、燃焼運転停止後の送風ファンのみの運転による器具冷却運転停止後に、前記温度センサーの検出温度がある所定の温度に到達すると送風運転制御装置により再度器具冷却運転を行うことにより、燃焼運転停止後の熱交換機からの余熱による前記取っ手用掘り込み部およびパネル表面が熱くなるのを避け、安全性を向上させることができる。
【００１９】
請求項８に記載の発明は、請求項１記載の温風暖房機のパネルの天面内側、かつ前記熱交換機の上方部に温度センサーを設け、燃焼運転停止後の送風ファンのみの運転による器具冷却運転停止後に、前記温度センサーの検出温度がある所定の温度に到達すると送風運転制御装置により再度器具冷却運転を行い、かつ次回器具冷却運転時の送風ファンの送風量およびタイマー時間を増加することにより、燃焼運転停止後の熱交換機からの余熱による前記取っ手用掘り込み部およびパネル表面が熱くなるのを避け、かつ次回の器具冷却運転時に前回の冷却不足をフィードバックすることにより、さらなる安全性を向上させることができる。
【００２０】
請求項９に記載の発明は、請求項１記載の温風暖房機のパネルの天面内側、かつ前記熱交換機の上方部に温度センサーを設け、燃焼運転停止後の送風ファンのみの運転による器具冷却運転停止後に、前記温度センサーの検出温度がある所定の温度に到達すると、器具冷却不足ランプが点灯して報知することにより、燃焼運転停止後の熱交換機からの余熱によって前記取っ手用掘り込み部およびパネル表面が熱くなっていることを使用者に知らせることができ、安全性を向上させることができる。
【００２１】
【実施例】
以下、本発明の実施例について図面を用いて説明する。
【００２２】
（実施例１）
図１は本発明の実施例１の温風暖房機の構成図であり、基本的な構成要素は従来例と同様であるため、詳細な説明は省略する。
【００２３】
図において、パネル１に設けられた取っ手用掘り込み部１３がパネル１の背面両端部に２箇所あり、熱交換機１０の上方から外れた位置にある。
【００２４】
また取っ手用掘り込み部１３の形状は、従来例と同様に水平方向へ凹形状かつ袋状である。
【００２５】
以上のように構成された温風暖房機について、以下その動作、作用を説明する。
【００２６】
燃焼運転停止後に送風ファン８のみの運転による器具冷却運転を行い、燃焼運転により熱くなった熱交換機１０の熱を吹出口５より外部へ温風として放出する。器具冷却運転を所定時間行った後、幾分かの余熱が熱交換機１０に残留しており、その余熱が自然対流で上方へ移動して温風暖房機上方のパネル部（特に熱交換機１０の上部）に滞留して熱くなる。
【００２７】
しかし、直接接触しやすい取っ手である取っ手用掘り込み部１３は熱交換機１０の上方ではないため、熱くなりにくく、安全性が高くなっている。
【００２８】
なお、パネル１の取っ手用掘り込み部１３の位置が背面でなくても、熱交換機１０の上方でなければ、側面でも前記同様の効果を得ることができる。
【００２９】
（実施例２）
図２は本発明の実施例２の温風暖房機のパネル断面図であり、温風暖房機の基本的な構成要素および動作は実施例１と同様であるため、詳細な説明は省略する。
【００３０】
図において、パネル１の背面両端部２箇所の取っ手用掘り込み部１３の凹形状内側かつ天面に半楕円形状をした凸部１４を下方に突出させるように設ける。
【００３１】
以上のような構成により、温風暖房機を持ち上げる際に触れる部分である取っ手用掘り込み部１３の凸部１４の材料容積を大きくすることにより、滞留した余熱の熱伝導率が減少し、かつた機内温度より低い外気に触れる面積が多くなって放熱することができ、熱くなるのを防止することができる。
【００３２】
また、取っ手用掘り込み部１３の凸部１４を手で握るように持つことができるため安定感があり、かつ指先が引っかかっているためにすべり止めの効果も得ることができる。
【００３３】
（実施例３）
図３は本発明の実施例３の温風暖房機のパネル断面図であり、温風暖房機の基本的な構成要素および動作は実施例１と同様であるため、詳細な説明は省略する。
【００３４】
図において、パネル１の背面両端部２箇所の取っ手用掘り込み部１３の凹形状全側面および底面を波線状の波壁１５にする。
【００３５】
以上のような構成により、取っ手用掘り込み部１３全体の材料容積が大きくなり、かつ機内温度より低い外気に触れる面積が多くなり、滞留した余熱の熱伝導した熱を放出することができ、熱くなるのを防止することができる。
【００３６】
（実施例４）
図４は本発明の実施例４の温風暖房機のパネル断面図であり、温風暖房機の基本的な構成要素および動作は実施例１と同様であるため、詳細な説明は省略する。
【００３７】
図において、パネル１の背面両端２箇所の取っ手用掘り込み部１３の凹形状天面の前方一部を削除して取っ手穴１６を設け、背面から前方まで貫通するトンネル形状とする。
【００３８】
以上のような構成により、取っ手用掘り込み部１３の側面が減少するために滞留した余熱の熱伝導が起こりにくく、かつ取っ手用掘り込み部１３のトンネル部を機内温度より低い外気が循環するために放熱することができ、熱くなるのを防止することができる。
【００３９】
なお、トンネル形状となる部分をパネル１の天面より上、つまり取っ手用掘り込み部１３の底面とパネル１の天面を同一高さとする構成においても、前記同様の効果を得ることができ、さらに温風暖房機前方からでも取っ手用掘り込み部１３を容易に持つことができる。
【００４０】
（実施例５）
図５は本発明の実施例５の温風暖房機の断面図であり、温風暖房機の基本的な構成要素および動作は実施例１と同様であるため、詳細な説明は省略する。
【００４１】
図において、パネル１の天面内側、かつ前記熱交換機の上方部に温度センサー１７、その検出温度により送風ファン８を制御する送風運転制御装置１８を設けている。
【００４２】
また図６のフローチャート図に基づき、以下に説明をする。
【００４３】
燃焼運転停止後に送風ファン８のみの運転による器具冷却運転を開始し、所定の風量とタイマー時間経過により器具冷却運転を停止する。その後、前記温度センサー１７の検出温度Ｔがある所定の温度Ｓより高くなった場合（Ｔ≧Ｓ）のみ、送風運転制御装置１８により再度器具冷却運転を行う。
【００４４】
以上のような構成および動作により、取っ手用掘り込み部１３およびパネル１表面が何らかの原因で熱くなった場合でも、それを検知して滞留している熱を循環すべく、器具冷却運転を行い、熱くなるのを防止することができる。
【００４５】
さらに異常状態による過渡な温度上昇が生じた場合でも、変形に至るまでに温度上昇を回避することができる。
【００４６】
なお、温度センサー１７の取り付け位置に関して、前記熱交換機の上方部に限らなくても、パネル１の天面部であれば前記同様の効果を得ることができる。
【００４７】
また、取っ手用掘り込み部１３自身の位置に関して、熱交換機１０の上方を避けたパネル１の背面両端２箇所でなくても、従来の熱交換機１０の上方でパネル１の背面中央でも、前記同様の効果を得ることができる。その際、温度センサー１７の取り付け位置は取っ手用掘り込み部１３の凹形状底面が望ましい。
【００４８】
（実施例６）
図６は本発明の実施例６の温風暖房機のフローチャート図であり、温風暖房機の基本的な構成要素および動作は実施例５と同様であるため、詳細な説明は省略する。
【００４９】
図において、燃焼運転停止後に送風ファン８のみの運転による器具冷却運転を開始する。
【００５０】
その際、前回器具冷却運転時に前記温度センサー１７の検出温度Ｔがある所定の温度Ｓより高かった場合（Ｔ≧Ｓ）の再器具冷却運転を行っていた場合、送風条件として、風量は風量＝Ｇとして通常時の風量＝Ｆ（Ｇ＞Ｆ）より増加させ、タイマー時間は時間＝Ｒとして通常時の時間＝Ｐ（Ｒ＞Ｐ）より増加させて運転する。逆に、再器具冷却運転を行っていない場合は通常の送風条件である風量＝Ｆ、タイマー時間＝Ｐで運転する。
【００５１】
その後、器具冷却運転を停止し、前記温度センサー１７の検出温度Ｔがある所定の温度Ｓより高くなった場合（Ｔ≧Ｓ）、器具冷却不足ランプが点灯して報知し、送風運転制御装置１８により再度器具冷却運転を行う。
【００５２】
【発明の効果】
以上のように本発明によれば、燃焼運転停止後の器具冷却運転停止後、熱交換機に残された余熱が上方に滞留しても、温風暖房機の移動時などによく触れる取っ手部は熱交換機の上方でなく両端部に離れているため、熱伝導が少なくて熱くなりにくく、安全性の向上が図れている。
【００５３】
また、熱交換機の上方に温度センサーを設けて温度を検出しているため、異常を検知して冷却することができ、さらなる安全性の向上が図れている。
【図面の簡単な説明】
【図１】本発明の実施例１の温風暖房機の構成図
【図２】本発明の実施例２の温風暖房機のパネルの断面図
【図３】本発明の実施例３の温風暖房機のパネルの断面図
【図４】本発明の実施例４の温風暖房機のパネルの断面図
【図５】本発明の実施例５の温風暖房機の断面図
【図６】本発明の実施例５の温風暖房機のフローチャート
【図７】本発明の実施例６の温風暖房機のフローチャート
【図８】従来の温風暖房機の構成図
【図９】従来の温風暖房機のパネルの断面図
【符号の説明】
１  パネル
２  ウライタ
３  マエイタ
４  ベース
５  吹出口
６  バーナー
７  燃焼室
８  送風ファン
９  駆動モーター
１０  熱交換機
１１  制御装置
１２  取っ手用掘り込み部（パネル中央）
１３  取っ手用掘り込み部（パネル両端）
１４  凸部
１５  波壁
１６  トンネル穴
１７  温度センサー
１８  送風運転制御装置
【図１】
2004198042.tif 000003
【図２】
2004198042.tif 000004
【図３】
2004198042.tif 000005
【図４】
2004198042.tif 000006
【図５】
2004198042.tif 000007
【図６】
2004198042.tif 000008
【図７】
2004198042.tif 000009
【図８】
2004198042.tif 000010
【図９】
2004198042.tif 000011